(57)【特許請求の範囲】
【請求項１】
縦方向に設置され且つキャビネットの側面にスライディング可能に取り付けられたロッド、及び横方向に沿ってスライディングすることができ且つ別々に１つのガイドレールに対応する複数のインターロッキング部材を備え、
前記インターロッキング部材が横方向に沿ってスライディングすることができない場合に、前記インターロッキング部材に対応するガイドレールもスライディングすることができず、
前記ロッドの外側面において、前記インターロッキング部材毎に対応して１つの突起及び一端が前記ロッドに固定され且つ前記ロッドの運動方向と傾斜角度を構成する１つの弾性シートが設置されてなるガイドレールのインターロッキング装置であって、
前記インターロッキング部材毎は、前記突起を収容する駆動孔及び前記弾性シートを収容する係止口を備え、前記駆動孔及び前記係止口は、別々に１つのガイド部を備え、前記係止口は、そのガイド部の内側に設置される係止部を更に備え、
その中の１つのインターロッキング部材が横方向に沿ってスライディングする時、前記インターロッキング部材の駆動孔のガイド部が対応する前記突起を押すことにより、前記突起が前記駆動孔のガイド部に沿ってスライディングして前記駆動孔から抜け出し、前記インターロッキング部材の係止口のガイド部が対応する前記弾性シートを押すことにより、
前記弾性シートが弾性変形されて前記係止口のガイド部に沿ってスライディングして前記係止口から抜け出し、且つ前記ロッドを縦方向にスライディングさせて、前記ロッドの上の他の弾性シートを対応するインターロッキング部材の係止口の係止部に係合させ、前記他の弾性シートに対応するインターロッキング部材が横方向に沿ってスライディングできないようになっていることを特徴とするガイドレールのインターロッキング装置。
【請求項２】
前記弾性シートの他端が自由端であって、前記ロッドの突起が前記弾性シートの自由端近傍に設置され、前記インターロッキング部材に取付部が設置され、前記取付部は、上折辺と、下折辺と、前記上折辺及び前記下折辺を連接する直交折辺と、を備え、前記駆動孔のガイド部が前記直交折辺に設置され、前記駆動孔は、前記上折辺に設置され且つ前記ガイド部に連通されて前記突起を収容する収容部を更に備え、前記係止口が前記下折辺に開設されることを特徴とする請求項１に記載のガイドレールのインターロッキング装置。
【請求項３】
前記ガイドレールのインターロッキング装置は、前記キャビネットの側面に取り付けられる固定部材を更に備え、前記ガイドレールの外部ガイドレールが前記固定部材に取り付けられ、前記固定部材に前記インターロッキング部材の取付部の下折辺に当接される積載シートが設置されることを特徴とする請求項２に記載のガイドレールのインターロッキング装置。
【請求項４】
前記ガイドレールの内部ガイドレールがロッキング部材に取り付けられ、前記インターロッキング部材は、前記ロッキング部材と前記ガイドレールの内部ガイドレールとの間にスライディング可能に取り付けられ、弾性素子の両端が別々に前記インターロッキング部材と前記ロッキング部材とを連接することを特徴とする請求項１乃至請求項３のいずれの一項に記載のガイドレールのインターロッキング装置。
【請求項５】
前記ロッキング部材に複数の積載部が設置され、前記積載部に複数の固定スロットが設置されることを特徴とする請求項４に記載のガイドレールのインターロッキング装置。
【請求項６】
前記固定部材に係止シートが設置され、前記ガイドレールのインターロッキング装置は、係止部材を更に備え、前記係止部材は、枢着孔が開設された係止素子及びピンを備え、前記ロッキング部材にピン孔が開設され、前記ピンが前記係止素子の枢着孔を貫いて且つ前記ロッキング部材のピン孔に固定されて、前記係止素子を前記ロッキング部材のピン孔に枢着し、且つ前記係止素子が前記固定部材の係止シートに当接され、前記インターロッキング部材が前記ロッキング部材に沿ってスライディングする時、前記係止素子が一定の角度に回転して、前記係止素子が前記固定部材の係止シートから離れることにすることを特徴とする請求項４に記載のガイドレールのインターロッキング装置。
【請求項７】
前記係止部材は、滑柱を更に備え、前記係止素子は、取付孔及び前記係止素子の片側から外に向かって突出する弾性シートを更に備え、前記ロッキング部材は、そのピン孔を円心とするアーク・スロット及び前記係止素子の弾性シートに対応する突起を更に備え、前記インターロッキング部材に斜め向きガイドスロットが開設され、前記滑柱は、前記係止素子の取付孔に取り付けられ、且つ前記ロッキング部材のアーク・スロット及び前記インターロッキング部材の斜め向きガイドスロットをスライディング可能に貫いて、且つ前記アーク・スロット及び前記斜め向きガイドスロットの一端に位置され、前記弾性シートの前記係止素子から離れている一端が前記ロッキング部材の突起に当接され、前記インターロッキング部材が前記ロッキング部材に沿ってスライディングする時、前記滑柱は、前記インターロッキング部材の斜め向きガイドスロットの押し力によって前記アーク・スロット及び前記斜め向きガイドスロットの他端にスライディングして、前記係止素子を回転させ、前記係止素子が前記固定部材の係止シートから離れることにすることを特徴とする請求項６に記載のガイドレールのインターロッキング装置。
【発明の詳細な説明】
【技術分野】
【０００１】
本発明は、キャビネットの内部ガイドレールのインターロッキング装置に関するものである。
【背景技術】
【０００２】
従来の技術において、キャビネットにおける各々のガイドレールの間は皆独立的に運動するため、キャビネットの中のサーバーケースを同時に引き出すことができる。
【０００３】
しかし、多すぎるサーバーケースを同時に引き出すと、キャビネットが傾倒することがあり、従ってキャビネット内の設備が損害されることがあり、更に使用者の安全を損なう可能性がある。
【発明の概要】
【発明が解決しようとする課題】
【０００４】
本発明の目的は、前記課題を解決し、キャビネットの中のサーバーケースが同時に引き出されることを免れるガイドレールのインターロッキング装置を提供することである。
【課題を解決するための手段】
【０００５】
前記目的を達成するため、本発明に係るガイドレールのインターロッキング装置は、縦方向に設置され且つキャビネットの側面にスライディング可能に取り付けられたロッド及び横方向に沿ってスライディングすることができ且つ別々に１つのガイドレールに対応する複数のインターロッキング部材を備え、前記インターロッキング部材が横方向に沿ってスライディングすることができない場合には、前記インターロッキング部材に対応するガイドレールもスライディングすることができず、前記ロッドの外側面において、前記インターロッキング部材毎に対応して１つの突起及び一端が前記ロッドに固定され且つ前記ロッドの運動方向と傾斜角度を構成する１つの弾性シートが設置され、前記インターロッキング部材はそれぞれ、前記突起を収容する駆動孔及び前記弾性シートを収容する係止口を備え、前記駆動孔及び前記係止口は、別々に１つのガイド部を備え、前記係止口は、そのガイド部の内側に設置される係止部を更に備え、その中の１つのインターロッキング部材が横方向に沿ってスライディングする時、前記インターロッキング部材の駆動孔のガイド部が対応する前記突起を押すことにより、前記突起が前記駆動孔のガイド部に沿ってスライディングして前記駆動孔から抜け出し、前記インターロッキング部材の係止口のガイド部が対応する前記弾性シートを押すことにより、前記弾性シートが弾性変形されて前記係止口のガイド部に沿ってスライディングして前記係止口から抜け出し、且つ前記ロッドを縦方向にスライディングさせて、前記ロッドの上の他の弾性シートを対応するインターロッキング部材の係止口の係止部に係合させ、前記他の弾性シートに対応するインターロッキング部材が横方向に沿ってスライディングできないようになっている。
【発明の効果】
【０００６】
本発明に係るガイドレールのインターロッキング装置において、1つのガイドレールに対応するインターロッキング部材が横方向に沿ってスライディングする時、ロッドが縦方向に沿ってスライディングして、前記ロッドの上の他の弾性シートを別々に対応するインターロッキング部材の係止口の係止部に係合させ、前記他の弾性シートに対応するインターロッキング部材が横方向に沿ってスライディングできないようにし、従ってキャビネットの中のサーバーケースが同時に引き出されることが免れる。
【図面の簡単な説明】
【０００７】
【図１】本発明の実施形態に係るガイドレールのインターロッキング装置及びキャビネットの支持架の立体分解図である。
【図２】本発明の実施形態に係るガイドレールのインターロッキング装置のロッキングモジュール及びガイドレールの立体分解図である。
【図３】図２を他の角度から見た図である。
【図４】図３の局部拡大図である。
【図５】図２の中のインターロッキング部材の正面図である。
【図６】図２の中のインターロッキング部材の底面図である。
【図７】図２の立体組立図である。
【図８】図７の局部拡大図である。
【図９】図１を他の角度から見た図である。
【図１０】図９の使用状態図である。
【図１１】図９の中のロッド、ロッキングモジュールのインターロッキング部材及び他のロッキングモジュールのインターロッキング部材の位置を示す図である。
【図１２】図１０の中のロッド、ロッキングモジュールのインターロッキング部材及び他のロッキングモジュールのインターロッキング部材の位置を示す図である。
【発明を実施するための形態】
【０００８】
図１〜図３を参照すると、本発明の実施形態に係わるガイドレールのインターロッキング装置は、キャビネットの支持架に付設され、ロッド３０と、第一弾性素子４０及び複数のロッキングモジュール１００を備える。前記ロッキングモジュール１００は、ガイドレール５０に付設され、固定部材６０と、インターロッキング部材７０と、ロッキング部材８０と、第二弾性素子４２と、係止部材９０と、を備える。
【０００９】
前記キャビネットの支持架は、一対の支柱１０と、前記一対の支柱１０の間に取り付けられる横梁２０と、を備える。
【００１０】
前記横梁２０中央部の近傍に横断面が略Ｃ形である収容部２２が設置され、前記収容部２２の上部にフック穴２２１が開設される。
【００１１】
前記ロッド３０の横断面も略Ｃ形である。前記ロッド３０の外側面において、その長手方向に沿って複数の弾性シート３４が設置され、且つ各々の弾性シート３４の自由端近傍に突起３２が設置される。これらの弾性シート３４と前記ロッド３０の外側面とが傾斜角度を構成する。前記ロッド３０の外側面における１つの弾力シート３４及び該弾力シート３４の自由端近傍の突起３２によって、１つのロッキングモジュール１００及び対応するガイドレール５０を固定する。前記ロッド３０の内側面にフック穴を有するフック部３６が設置される（図９及び図１０を参照してください）。
【００１２】
前記第一弾性素子４０及び前記第二弾性素子４２は、皆螺旋スプリングであって、その両端に別々にフックが設置される。
【００１３】
前記ガイドレール５０は、外部ガイドレール５２及び内部ガイドレール５４を備え、前記外部ガイドレール５２及び前記内部ガイドレール５４に別々に複数のねじ穴（図示せず）が開設される。
【００１４】
前記固定部材６０は、横向きの条状であって、固定部６２及び該固定部６２の上部に設置される逆コ形断面を有する取付部６４を備える。前記固定部６２に複数の固定孔６２２が開設される。前記取付部６４は、前記固定部６２の上辺から延在し且つ前記固定部６２に直交する下折辺６６と、前記下折辺６６に平行する上折辺６５と、前記上折辺６５及び前記下折辺６６の対応する辺を連接し且つ前記上折辺６５及び前記下折辺６６に直交する直交折辺６８と、を備える。前記上折辺６５と前記直交折辺６８との連接部に第一矩形孔６５２が開設され、前記第一矩形孔６５２の下方であって、前記下折辺６６と前記固定部６２との連接部に第二矩形孔６６２が開設される。前記直交折辺６８における前記上折辺６５の近傍に内に向かって突出する係止シート６８２が設置される。前記直交折辺６８における前記下折辺６６及び前記第一矩形孔６５２の近傍に内に向かって突出する積載シート６８４が設置される。
【００１５】
続いて図５及び図６を参照すると、前記インターロッキング部材７０は、横向きの条形状であって、本体７１を備える。前記本体７１の一端にハンドル７２が設置され、前記本体７１の上部に逆コ形断面を有する取付部７３が設置される。前記取付部７３は、前記本体７１の上辺から延在し且つ前記本体７１に直交する上折辺７４と、前記上折辺７４の前記本体７１から離れている辺から下に向かって延在し且つ前記上折辺７４に直交する直交折辺７５と、前記直交折辺７５の下辺から前記本体７１に向かって延在し且つ直交折辺７５に直交し且つ前記上折辺７４に平行する下折辺７６と、を備える。前記上折辺７４における前記ハンドル７２の近傍に斜め向きガイドスロット７４２が開設され、前記直交折辺７５の中央部であって、前記直交折辺７５と前記上折辺７４との連接部に駆動孔７５２が開設される。前記駆動孔７５２は、前記直交折辺７５に位置し且つ台形のガイド部７５４と、前記上折辺７４に位置し且つ矩形の収容部７５３と、を備える。前記ガイド部７５４と前記収容部７５３は、互いに連通される。前記本体７１の中央部における前記駆動孔７５２の近傍に矩形状の収容孔７１２が開設され、前記収容孔７１２の片側にフック穴７１４が開設される。前記下折辺７６の前記駆動孔７５２に対応する部分にスピーカ状の係止口７６２が開設され、前記係止口７６２は、前記下折辺７６の外辺縁近傍の台形のガイド部７６４及び前記ガイド部７６４の内側に位置する矩形状の係止部７６３を備える。
【００１６】
図２〜図４を参照すると、前記ロッキング部材８０は、横向きの条形状であって、本体８２及び該本体８２の一端に位置するハンドル８１を備える。前記ハンドル８１が内に向かって凹んで収容部を形成する。前記本体８２の片側の上部にＬ形の取付部８３が設置され、前記本体８２における前記取付部８３の下部に２つの支持部８６が一定の間隔を隔てて設置され、各々の支持部８６に複数の固定孔８６２が設置される。前記本体８２の他側の上部に前記本体８２の上方に突出する２つの積載部８７が一定の間隔をおいて設置される。前記本体８２における前記２つの積載部８７の間にフック穴８２２が設置される。前記取付部８３は、前記本体８２から水平方向に向かって延在し且つ前記本体８２に直交する上折辺８４と、前記上折辺８４の前記本体８２から離れている一辺から下に向かって延在し且つ前記上折辺８４に直交する直交折辺８５と、を備える。前記ハンドル８１の近傍であって、前記本体８２と前記上折辺８４の連接部に上に向かう突起８４２が設置され、前記上折辺８４における前記突起８４２の片側にピン孔８４４が開設され、且つ前記突起８４２と前記直交折辺８５との間に前記ピン孔８４４を中心とするアーク・スロット８４６が開設される。前記上折辺８４と前記直交折辺８５の連接部に貫通孔８４７が開設される。前記２つの積載部８７には別々に複数のＬ形の固定スロット８７２が開設され、サーバーケース（図示せず）の側壁の固定栓を係合することに用いられ、従って前記サーバーケースを前記ロッキング部材８０に取り付ける。前記取付部８３の上折辺８４にこれらの固定スロット８７２に対応する複数の避位孔が設置される。
【００１７】
前記係止部材９０は、係止素子９２と、滑柱９５及びピン９６を備える。前記係止素子９２は、多辺体であって、その上に枢着孔９２２及び取付孔９２４が開設される。前記係止素子９２の前記取付孔９２４に近付く側面が係止面９２５である。前記係止素子９２の前記枢着孔９２２に近付く側面から外に向かって突出して弾性シート９３を形成する。
【００１８】
以下、図２、図３、図７、図８を参照して前記ロッキングモジュール１００の組立過程を詳しく説明する。前記インターロッキング部材７０の本体７１及び取付部７３を前記ロッキング部材８０の取付部８３と本体８２との間にスライディング可能に取り付けると、前記インターロッキング部材７０のハンドル７２が前記ロッキング部材８０のハンドル８１の収容部に収容され、前記インターロッキング部材７０の駆動孔７５２が前記ロッキング部材８０の貫通孔８４７に相対させられる。前記第二弾性素子４２を前記インターロッキング部材７０の本体７１の収容孔７１２の内部に収容して、且つ前記第二弾性素子４２の両端を別々に前記インターロッキング部材７０の本体７１のフック孔７１４及び前記ロッキング部材８０の本体８２のフック孔８１４に掛ける。前記係止部材９０の係止素子９２を前記ロッキング部材８０の上折辺８４の上表面に載置する。前記係止部材９０の滑柱９５を前記係止素子９２の取付孔９２４に取り付けると、前記滑柱９５の底端が順次に前記ロッキング部材８０の取付部８３のアーク・スロット８４６及び前記インターロッキング部材７０の取付部７３の斜め向きガイドスロット７４２をスライディング可能に貫いて、且つ前記アーク・スロット８４６における前記ロッキング部材８０の取付部８３の直交折辺８５に近付く外端及び前記斜め向きガイドスロット７４２における前記インターロッキング部材７０の取付部７３の直交折辺７５に近付く外端に位置される。前記係止部材９０のピン９６を前記係止素子９２の枢着孔９２２にスライディング可能に挿入して前記ロッキング部材８０の取付部８３のピン孔８４４に固定する。前記係止素子９２の弾性シート９３の自由端は、前記ロッキング部材８０の取付部８３の突起８４２に当接される（図１０を参照してください）。
【００１９】
複数のねじで前記ロッキング部材８０の２つの支持部８６の固定孔８６２を貫いてから前記ガイドレール５０の内部ガイドレール５４のねじ穴に螺合させて、前記内部ガイドレール５４を前記ロッキングモジュール１００に取り付ける。複数のねじで前記固定部材６０の固定部６２の固定孔６２２を貫いてから前記ガイドレール５０の外部ガイドレール５２のねじ穴に螺合させて、前記外部ガイドレール５２を前記ロッキングモジュール１００に取り付け、前記固定部材６０の取付部６４がスライディング可能に前記ロッキング部材８０の取付部８３に被さるようにして、前記取付部６４の積載シート６８４がスライディング可能に前記インターロッキング部材７０の取付部７３の下折辺７６の底面に当接することにする。前記係止素子９２の係止面９２５が前記固定部材６０の係止シート６８２の片側に当接して（図８を参照してください）、前記ロッキング部材８０が前記固定部材６０に相対してスライディングできないようにして、即ち前記ガイドレール５０の内部ガイドレール５４及び外部ガイドレール５２が相対的にスライディングすることができず、従って前記ロッキング部材８０の積載部８７に取り付けられたサーバーケースが前記固定部材６０に相対して運動できないことにする。この時、前記固定部材６０の取付部６４の上折辺６５の第一矩形孔６５２、前記インターロッキング部材７０の取付部７３の駆動孔７５２が前記ロッキング部材８０の取付部８３の貫通孔８４７に相対され、前記固定部材６０の取付部６４の第二矩形孔６６２が前記インターロッキング部材７０の取付部７３の下折辺７６の係止口７６２に相対させられる。
【００２０】
図１、図９及び図１１を同時に参照すると、前記ロッド３０を前記横梁２０の収容部２２にスライディング可能に取り付け、前記第一弾性素子４０の両端を別々に前記ロッド３０のフック部３６及び前記収容部２２のフック穴２２１に掛ける。ねじのような複数の固定素子によって前記ロッキングモジュール１００の固定部材６０を前記一対の支柱１０に取り付ける。前記ロッド３０の突起３２は、前記固定部材６０の取付部６４の上折辺６５の対応する第一矩形孔６５２、前記ロッキング部材８０の取付部８３の対応する貫通孔８４７及び前記インターロッキング部材７０の対応する駆動孔７５２の収容部７５４に突出し、且つ前記インターロッキング部材７０の駆動孔７５２のガイド部７５３に係止され、前記ロッド３０の弾性シート３４は、前記固定部材６０の第二矩形孔６６２及び前記インターロッキング部材７０の取付部７３の係止口７６２のガイド部７６４に突出し（図１１を参照してください）、前記ロッキング部材８０、該ロッキング部材８０取り付けられたサーバーケース及び該ロッキング部材８０に取り付けられたガイドレール５０の内部ガイドレール５４が、前記キャビネット、前記固定部材６０及び前記ガイドレール５０の外部ガイドレール５２と関連して運動できないようにする。
【００２１】
図９〜図１２を一緒に参照すると、サーバーケースを引き出す場合、前記インターロッキング部材７０のハンドル７２を引っ張って、前記ハンドル７２の外端が前記ロッキング部材８０のハンドル８１の外端に接するようにする。この過程において、前記インターロッキング部材７０が前記ロッキング部材８０と関連して外に向かってスライディングし、前記インターロッキング部材７０の斜め向きガイドスロット７４２が前記係止部材９０の滑柱９５を押して、前記滑柱９５を前記斜め向きガイドスロット７４２及び前記ロッキング部材８０のアーク・スロット８４６の外端から前記斜め向きガイドスロット７４２及び前記ロッキング部材８０のアーク・スロット８４６の内端に向かって運動させ、且つ前記係止素子９２が前記ピン９６を回って前記ロッキング部材８０の積載シート８７に向かって回転するようにして、前記弾性シート９３を圧縮する。前記インターロッキング部材７０が前記ロッキング部材８０と関連して外に向かってスライディングするため、前記インターロッキング部材７０の駆動孔７５２のガイド部７５４の辺縁が前記ロッド３０の対応する突起３２を押すことにより、前記突起３２が前記駆動孔７５２から抜け出して前記インターロッキング部材７０の上折辺７４に位置することになり、従って前記ロッド３０が上に向かってスライディングするとともに前記第一弾性素子４０を伸展させ、前記インターロッキング部材７０の係止口７６２のガイド部７６４の辺縁が前記ロッド３０の対応する弾性シート３４を押すことにより、前記弾性シート３４が弾性変形されて前記ガイド部７６４に沿ってスライディングして前記係止口７６２から抜け出し且つ前記インターロッキング部材７０の下折辺７６の外辺縁に位置することになる。前記係止素子９２の係止面９２５と前記固定部材６０の係止シート６８２が離れる時、前記ロッキング部材８０、該ロッキング部材８０取り付けられたサーバーケース、前記インターロッキング部材７０及び前記ロッキング部材８０に取り付けられたガイドレール５０の内部ガイドレール５４は、前記キャビネット、前記固定部材６０及び前記ガイドレール５０の外部ガイドレール５２に対して外に向かってスライディングすることができ、更に前記キャビネットから出すことができる。前記過程において、前記弾性シート３４と前記ロッド３０の運動方向が傾斜角度を構成するため、前記ロッド３０が上へスライディングして、前記ロッド３０の他の弾性シート３４を対応する他のロッキングモジュール１００のインターロッキング部材７０の係止口７６２の係止部７６３に運動させ（図１２を参照してください）、従って前記キャビネットからこれらのロッキングモジュール１００に取り付けられたサーバーケースを引き出さないようにする。
【００２２】
前記ロッキングモジュール１００に取り付けられたサーバーケースを前記キャビネットに引き込み、且つ前記インターロッキング部材７０が前記第二弾性素子４２の弾性力によって初期位置にスライディングしてから、前記係止部材９０の滑柱９５が、前記インターロッキング部材７０の斜め向きガイドスロット７４２の辺縁の押し力及び前記係止部材９０の弾性シート９３の弾性力によって、前記斜め向きガイドスロット７４２及び前記ロッキング部材８０のアークスロット８４６の外端へ運動させられ、前記係止部材９０の係止素子９２の係止面９２５を前記固定部材６０の係止シート６８２に当接させる。前記ロッド３０が前記第一弾性素子４０の弾性力によって初期位置にスライディングする。他のロッキングモジュール１００のインターロッキング部材７０を操作しなければその上のサーバーケースをキャビネットから引き出すことができない。
【００２３】
本実施形態において、前記ロッキング部材８０を除去し、前記インターロッキング部材７０を直接に前記ガイドレール５０の内部ガイドレール５４に取り付けることができ、前記内部ガイドレール５４に複数の固定スロットを設置することができ、サーバーケースの側壁の固定栓を係合して前記サーバーケースを前記内部ガイドレール５４に取り付けることに用いられ、キャビネット中のサーバーケースが同時に引き出されることを免れる。
【００２４】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００２５】
１０  支柱
２０  横梁
２２，７５３  収容部
３０  ロッド
３２，８４２  突起
３４，９３  弾性シート
３６  フック部
４０  第一弾性素子
４２  第二弾性素子
５０  ガイドレール
５２  外部ガイドレール
５４  内部ガイドレール
６０  固定部材
６２  固定部
６４  取付部  
６５，７４，８４  上折辺
６６，７６  下折辺
６８，７５，８５  直交折辺
７０  インターロッキング部材
７１，８２  本体
７２，８１  ハンドル
７３，８３  取付部
８０  ロッキング部材
８６  支持部
８７  積載部
９０  係止部材
９２  係止素子
９５  滑柱
９６  ピン
１００  ロッキングモジュール
２２１，７１４，８２２  フック穴
６２２，８６２  固定孔
６５２  第一矩形孔
６６２  第二矩形孔
６８２  係止シート
６８４  積載シート
７１２  収容孔
７４２  斜め向きガイドスロット
７５２  駆動孔
７５４，７６４  ガイド部
７５３  収容部  
７６２  係止口
７６３  係止部  
８４４  ピン孔
８４６  アーク・スロット
８４７  貫通孔
８７２  固定スロット
９２２  枢着孔
９２４  取付孔
９２５  係止面
【図１】
0005307626.tif 000002
【図２】
0005307626.tif 000003
【図３】
0005307626.tif 000004
【図４】
0005307626.tif 000005
【図５】
0005307626.tif 000006
【図６】
0005307626.tif 000007
【図７】
0005307626.tif 000008
【図８】
0005307626.tif 000009
【図９】
0005307626.tif 000010
【図１０】
0005307626.tif 000011
【図１１】
0005307626.tif 000012
【図１２】
0005307626.tif 000013